(57)【特許請求の範囲】
【請求項１】
粗目用スクリーンバーを間隔をあけて配設して構成した粗目バースクリーン及び該粗目バースクリーンを構成する粗目用スクリーンバーの間に細目用スクリーンバーを配設して構成した細目バースクリーンからなるバースクリーンと、該バースクリーンにて捕捉されたごみを掻き揚げ排出するようにした粗目用スクリーンバー間に挿通される粗目用レーキ並びに細目用スクリーンバー間及び細目用スクリーンバーと粗目用スクリーンバーの間に挿通される細目用レーキからなるレーキとを備えたバースクリーン式除塵機において、粗目バースクリーンを構成する粗目用スクリーンバー及び／又は細目バースクリーンを構成する細目用スクリーンバーの板厚を、前端面側が厚く、後端面側が薄くなるように形成するとともに、粗目用レーキと細目用レーキを別体で構成したことを特徴とするバースクリーン式除塵機。
【請求項２】
粗目バースクリーンを構成する粗目用スクリーンバーと細目バースクリーンを構成する細目用スクリーンバーの後端面が同一面内に位置するようにしたことを特徴とする請求項１記載のバースクリーン式除塵機。
【請求項３】
前記粗目バースクリーン及び細目バースクリーンからなる１つのバースクリーン内において、粗目バースクリーンを構成する粗目用スクリーンバー及び細目バースクリーンを構成する細目用スクリーンバーの配列順序を水路の幅方向の位置で変えることにより、粗目用スクリーンバーと細目用スクリーンバーとの水路の幅方向での配置の規則性をなくすようにしたことを特徴とする請求項１又は２記載のバースクリーン式除塵機。
【請求項４】
粗目用レーキ及び／又は細目用レーキを水平方向に配設する板部材で分割して構成し、レーキのフレームに一枚板状に取り付けるようにしたことを特徴とする請求項１、２又は３記載のバースクリーン式除塵機。
【請求項５】
細目用レーキを鉛直方向に配設する板部材で構成したことを特徴とする請求項１、２又は３記載のバースクリーン式除塵機。
【請求項６】
レーキを複数のレーキで構成し、各レーキ毎に、粗目用レーキの爪を配設する位置を水路の幅方向で異ならせ、かつ、複数のレーキが少なくとも一巡することによって、粗目バースクリーンを構成する粗目用スクリーンバーによって形成されるすべての目幅間に粗目用レーキの爪が少なくとも１回は挿通されるようにしたことを特徴とする請求項１、２、３、４又は５記載のバースクリーン式除塵機。
【請求項７】
レーキを複数のレーキで構成し、各レーキ毎に、細目用レーキの爪を配設する位置を水路の幅方向で異ならせ、かつ、複数のレーキが少なくとも一巡することによって、細目バースクリーンを構成する細目用スクリーンバーによって形成されるすべての目幅間に細目用レーキの爪が少なくとも１回は挿通されるようにしたことを特徴とする請求項１、２、３、４、５又は６記載のバースクリーン式除塵機。
【請求項８】
粗目バースクリーンの目幅と細目バースクリーンの目幅の中間の目幅に設定した中間目バースクリーンを構成する中間目用スクリーンバーを、粗目バースクリーンを構成する粗目用スクリーンバーの間に配設するとともに、中間目用スクリーンバー間及び中間目用スクリーンバーと粗目用スクリーンバーの間に挿通される中間目用レーキを備えるようにしたことを特徴とする請求項１、２、３、４、５、６又は７記載のバースクリーン式除塵機。
【発明の詳細な説明】
【技術分野】
【０００１】
本発明は、バースクリーン式除塵機に関し、特に、必要とされる強度等の性能を維持しながら、製造コストを低廉にできる、粗目バースクリーン及び細目バースクリーンを備えたバースクリーン式除塵機に関するものである。
【背景技術】
【０００２】
従来、下水処理場や下水ポンプ場では、沈砂池の上流側に粗目のバースクリーン式除塵機を、その下流側に細目のバースクリーン式除塵機を設置し、それぞれのバースクリーン式除塵機のバースクリーンで捕捉したごみは、大きさや性状が異なるため、それぞれ別の系統で処理していた。
【０００３】
これに対して、粗目バースクリーン及び細目バースクリーンを備えたバースクリーン式除塵機が、本件出願人により提案され、実用化されている（例えば、特許文献１参照）。
【０００４】
このバースクリーン式除塵機は、図１１に示すように、間隔をあけて配設した粗目バースクリーン１と、粗目バースクリーン１の間に配設した細目バースクリーン２とからなり、粗目バースクリーン１を構成する粗目用スクリーンバー１１の前端面が細目バースクリーン２を構成する細目用スクリーンバー２１の前端面より前方位置（水流の上流側）に突出するように配設するとともに、粗目用スクリーンバー１１の板厚を細目用スクリーンバー２１の板厚より厚く形成することにより、まず、粗目バースクリーン１で粗ごみを捕捉し、その後、細目バースクリーン２で細塵を捕捉するように構成していた。
【先行技術文献】
【特許文献】
【０００５】
【特許文献１】特許第３７６８５１８号公報
【発明の概要】
【発明が解決しようとする課題】
【０００６】
ところで、上記従来のバースクリーン式除塵機は、１台のバースクリーン式除塵機で、粗ごみ及び細塵を捕捉できるという利点を有する反面、粗目用スクリーンバー１１の板厚を細目用スクリーンバー２１の板厚より厚く形成するという構造上の理由から、資材コストが高くつき、これがバースクリーン式除塵機の製造コストの上昇に繋がるという問題があった。
【０００７】
また、従来のバースクリーン式除塵機は、細塵を確実に捕捉するために細目バースクリーン２の目幅を小さくすればするほど、細目バースクリーン２が目詰まりを起こしやすくなるという問題があった。
【０００８】
また、従来のバースクリーン式除塵機は、粗目バースクリーンと細目バースクリーンの組み合わせからなるため、ごみの捕捉効率を高めるのに限度があり、また、捕捉したごみの選別を細分化することができにくかった。
【０００９】
本発明は、上記従来のバースクリーン式除塵機の有する問題点に鑑み、必要とされる強度等の性能を維持しながら、資材コストを抑えて製造コストを低廉にできる、粗目バースクリーン及び細目バースクリーンを備えたバースクリーン式除塵機を提供することを第１の目的とする。
【００１０】
また、本発明は、細目バースクリーンが目詰まりを起こすことを未然に防止できるようにしたバースクリーン式除塵機を提供することを第２の目的とする。
【００１１】
また、本発明は、ごみの捕捉効率を高めることができるとともに、捕捉したごみの選別を細分化することができるようにしたバースクリーン式除塵機を提供することを第３の目的とする。
【００１２】
また、本発明は、バースクリーンの組立を、容易かつ正確に行うことができるようにしたバースクリーン式除塵機を提供することを第４の目的とする。
【００１３】
また、本発明は、レーキの耐久性を向上することができるようにしたバースクリーン式除塵機を提供することを第５の目的とする。
【課題を解決するための手段】
【００１４】
上記第１の目的を達成するため、間隔をあけて配設した粗目バースクリーン及び該粗目バースクリーンの間に配設した細目バースクリーンからなるバースクリーンと、該バースクリーンにて捕捉されたごみを掻き揚げ排出するようにした粗目用レーキ及び細目用レーキからなるレーキとを備えたバースクリーン式除塵機において、粗目バースクリーンを構成する粗目用スクリーンバーと細目バースクリーンを構成する細目用スクリーンバーの板厚を同一に設定することができる（参考例）。
【００１５】
また、上記第２及び第５の目的を達成するため、本発明のバースクリーン式除塵機は、粗目用スクリーンバーを間隔をあけて配設して構成した粗目バースクリーン及び該粗目バースクリーンを構成する粗目用スクリーンバーの間に細目用スクリーンバーを配設して構成した細目バースクリーンからなるバースクリーンと、該バースクリーンにて捕捉されたごみを掻き揚げ排出するようにした粗目用スクリーンバー間に挿通される粗目用レーキ並びに細目用スクリーンバー間及び細目用スクリーンバーと粗目用スクリーンバーの間に挿通される細目用レーキからなるレーキとを備えたバースクリーン式除塵機において、粗目バースクリーンを構成する粗目用スクリーンバー及び／又は細目バースクリーンを構成する細目用スクリーンバーの板厚を、前端面側が厚く、後端面側が薄くなるように形成するとともに、粗目用レーキと細目用レーキを別体で構成したことを特徴とする。
【００１６】
また、上記第３目的を達成するため、本発明のバースクリーン式除塵機は、間隔をあけて配設した粗目バースクリーン及び該粗目バースクリーンの間に配設した細目バースクリーンからなるバースクリーンと、該バースクリーンにて捕捉されたごみを掻き揚げ排出するようにした粗目用レーキ及び細目用レーキからなるレーキとを備えたバースクリーン式除塵機において、前記粗目バースクリーン及び細目バースクリーンからなる１つのバースクリーン内において、粗目バースクリーンを構成する粗目用スクリーンバー及び細目バースクリーンを構成する細目用スクリーンバーの配列順序を水路の幅方向の位置で変えることにより、粗目用スクリーンバーと細目用スクリーンバーとの水路の幅方向での配置の規則性をなくすようにしたことを特徴とする。
【００１７】
また、上記第４目的を達成するため、本発明のバースクリーン式除塵機は、間隔をあけて配設した粗目バースクリーン及び該粗目バースクリーンの間に配設した細目バースクリーンからなるバースクリーンと、該バースクリーンにて捕捉されたごみを掻き揚げ排出するようにした粗目用レーキ及び細目用レーキからなるレーキとを備えたバースクリーン式除塵機において、粗目バースクリーンを構成する粗目用スクリーンバーと細目バースクリーンを構成する細目用スクリーンバーの後端面が同一面内に位置するようにしたことを特徴とする。
【００１８】
また、上記第１目的を達成するため、本発明のバースクリーン式除塵機は、間隔をあけて配設した粗目バースクリーン及び該粗目バースクリーンの間に配設した細目バースクリーンからなるバースクリーンと、該バースクリーンにて捕捉されたごみを掻き揚げ排出するようにした粗目用レーキ及び細目用レーキからなるレーキとを備えたバースクリーン式除塵機において、粗目用レーキ及び／又は細目用レーキを水平方向に配設する板部材で分割して構成し、レーキのフレームに一枚板状に取り付けるようにしたことを特徴とする。
より具体的には、間隔をあけて配設した粗目バースクリーン及び該粗目バースクリーンの間に配設した細目バースクリーンからなるバースクリーンと、該バースクリーンの周囲を周回駆動されるチェーンに取り付けられてバースクリーンの前側でバースクリーンにて捕捉されたごみを掻き揚げ排出するようにした、粗目用レーキ及び細目用レーキをレーキフレームに固定手段を用いて取り付けるようにしたレーキとを備えたバースクリーン式除塵機において、前記レーキの粗目用レーキをごみの掻き揚げ時に粗目バースクリーンの粗目用スクリーンバー間に挿通される爪を端縁に形成し、粗目バースクリーンのごみの捕捉面に対して直交した状態で駆動されるようにした板部材で、細目用レーキをごみの掻き揚げ時に粗目用レーキの駆動方向の後方側の位置で細目バースクリーンの細目用スクリーンバー間に挿通されて駆動されるようにした複数の板部材で、かつ、レーキフレームの長手方向にそれぞれ分割して構成し、該分割して構成した粗目用レーキの隣接する粗目用レーキ分割片間に隙間が存在するようにして、該粗目用レーキ分割片をレーキフレームに固定手段を用いて取り付け、ごみの掻き揚げ時に隣接する粗目用レーキ分割片に形成された隣接する爪の間に粗目バースクリーンの粗目用スクリーンバーが位置するようにしたことを特徴とする。
【００１９】
この場合において、細目用レーキを鉛直方向に配設する板部材で構成することができる。
【００２０】
また、レーキを複数のレーキで構成し、各レーキ毎に、粗目用レーキの爪を配設する位置を水路の幅方向で異ならせ、かつ、複数のレーキが少なくとも一巡することによって、粗目バースクリーンを構成する粗目用スクリーンバーによって形成されるすべての目幅間に粗目用レーキの爪が少なくとも１回は挿通されるようにすることができる。
【００２１】
また、レーキを複数のレーキで構成し、各レーキ毎に、細目用レーキの爪を配設する位置を水路の幅方向で異ならせ、かつ、複数のレーキが少なくとも一巡することによって、細目バースクリーンを構成する細目用スクリーンバーによって形成されるすべての目幅間に細目用レーキの爪が少なくとも１回は挿通されるようにすることができる。
【００２２】
また、上記第３目的を達成するため、本発明のバースクリーン式除塵機は、間隔をあけて配設した粗目バースクリーン及び該粗目バースクリーンの間に配設した細目バースクリーンからなるバースクリーンと、該バースクリーンにて捕捉されたごみを掻き揚げ排出するようにした粗目用レーキ及び細目用レーキからなるレーキとを備えたバースクリーン式除塵機において、粗目バースクリーンの目幅と細目バースクリーンの目幅の中間の目幅に設定した中間目バースクリーンを構成する中間目用スクリーンバーを、粗目バースクリーンを構成する粗目用スクリーンバーの間に配設するとともに、中間目用スクリーンバー間及び中間目用スクリーンバーと粗目用スクリーンバーの間に挿通される中間目用レーキを備えるようにしたことを特徴とする。
【発明の効果】
【００２３】
参考例のバースクリーン式除塵機によれば、間隔をあけて配設した粗目バースクリーン及び該粗目バースクリーンの間に配設した細目バースクリーンからなるバースクリーンと、該バースクリーンにて捕捉されたごみを掻き揚げ排出するようにした粗目用レーキ及び細目用レーキからなるレーキとを備えたバースクリーン式除塵機において、粗目バースクリーンを構成する粗目用スクリーンバーと細目バースクリーンを構成する細目用スクリーンバーの板厚を同一に設定してなることにより、粗目用スクリーンバーと細目用スクリーンバーの資材の共通化を図ることができ、これにより、資材コストを抑えて製造コストを低廉にすることができる。
【００２４】
また、本発明のバースクリーン式除塵機によれば、間隔をあけて配設した粗目バースクリーン及び該粗目バースクリーンの間に配設した細目バースクリーンからなるバースクリーンと、該バースクリーンにて捕捉されたごみを掻き揚げ排出するようにした粗目用レーキ及び細目用レーキからなるレーキとを備えたバースクリーン式除塵機において、粗目バースクリーンを構成する粗目用スクリーンバー及び／又は細目バースクリーンを構成する細目用スクリーンバーの板厚を、前端面側が厚く、後端面側が薄くなるように形成することにより、粗目用スクリーンバー及び／又は細目バースクリーンの対向する面間にごみが挟まることがなく、粗目バースクリーン及び細目バースクリーンが目詰まりを起こすことを未然に防止できる。
【００２５】
また、本発明のバースクリーン式除塵機によれば、間隔をあけて配設した粗目バースクリーン及び該粗目バースクリーンの間に配設した細目バースクリーンからなるバースクリーンと、該バースクリーンにて捕捉されたごみを掻き揚げ排出するようにした粗目用レーキ及び細目用レーキからなるレーキとを備えたバースクリーン式除塵機において、前記粗目バースクリーン及び細目バースクリーンからなる１つのバースクリーン内において、粗目バースクリーンを構成する粗目用スクリーンバー及び細目バースクリーンを構成する細目用スクリーンバーの配列順序を水路の幅方向の位置で変えることにより、粗目用スクリーンバーと細目用スクリーンバーとの水路の幅方向での配置の規則性をなくすようにすることにより、粗目バースクリーンの目幅を水路の幅方向で実質的に変えることができ、バースクリーン式除塵機の使用形態や設置場所によって粗ごみと細塵の流入状況が異なる場合でも適切に対応することができ、ごみの捕捉効率を高めることができるとともに、捕捉したごみの選別を細分化することができる。
【００２６】
また、本発明のバースクリーン式除塵機によれば、間隔をあけて配設した粗目バースクリーン及び該粗目バースクリーンの間に配設した細目バースクリーンからなるバースクリーンと、該バースクリーンにて捕捉されたごみを掻き揚げ排出するようにした粗目用レーキ及び細目用レーキからなるレーキとを備えたバースクリーン式除塵機において、粗目バースクリーンを構成する粗目用スクリーンバーと細目バースクリーンを構成する細目用スクリーンバーの後端面が同一面内に位置するようにすることにより、当該面をバースクリーンを組み立てる際の基準面とすることができ、バースクリーンの組立を、容易かつ正確に行うことができる。
【００２７】
また、本発明のバースクリーン式除塵機によれば、間隔をあけて配設した粗目バースクリーン及び該粗目バースクリーンの間に配設した細目バースクリーンからなるバースクリーンと、該バースクリーンにて捕捉されたごみを掻き揚げ排出するようにした粗目用レーキ及び細目用レーキからなるレーキとを備えたバースクリーン式除塵機において、粗目用レーキ及び／又は細目用レーキを水平方向に配設する板部材で分割して構成し、レーキのフレームに一枚板状に取り付けるようにすることにより、粗目用レーキ及び／又は細目用レーキの資材の共通化を図ることができ、これにより、資材コストを抑えて製造コストを低廉にすることができる。
【００２８】
また、細目用レーキを鉛直方向に配設する板部材で構成することにより、細目用レーキの耐負荷性を向上することができ、レーキの耐久性を向上することができる。
【００２９】
また、本発明のバースクリーン式除塵機によれば、間隔をあけて配設した粗目バースクリーン及び該粗目バースクリーンの間に配設した細目バースクリーンからなるバースクリーンと、該バースクリーンにて捕捉されたごみを掻き揚げ排出するようにした粗目用レーキ及び細目用レーキからなるレーキとを備えたバースクリーン式除塵機において、粗目用レーキと細目用レーキを別体で構成することにより、個々のレーキにかかる負荷を小さくすることができ、レーキの耐久性を向上することができる。
【００３０】
また、レーキを複数のレーキで構成し、各レーキ毎に、粗目用レーキの爪を配設する位置を水路の幅方向で異ならせ、かつ、複数のレーキが少なくとも一巡することによって、粗目バースクリーンを構成する粗目用スクリーンバーによって形成されるすべての目幅間に粗目用レーキの爪が少なくとも１回は挿通されるようにすることにより、個々のレーキにかかる負荷を小さくすることができ、レーキの耐久性を向上することができる。
【００３１】
また、レーキを複数のレーキで構成し、各レーキ毎に、細目用レーキの爪を配設する位置を水路の幅方向で異ならせ、かつ、複数のレーキが少なくとも一巡することによって、細目バースクリーンを構成する細目用スクリーンバーによって形成されるすべての目幅間に細目用レーキの爪が少なくとも１回は挿通されるようにすることにより、個々のレーキにかかる負荷を小さくすることができ、レーキの耐久性を向上することができる。
【００３２】
また、本発明のバースクリーン式除塵機によれば、間隔をあけて配設した粗目バースクリーン及び該粗目バースクリーンの間に配設した細目バースクリーンからなるバースクリーンと、該バースクリーンにて捕捉されたごみを掻き揚げ排出するようにした粗目用レーキ及び細目用レーキからなるレーキとを備えたバースクリーン式除塵機において、粗目バースクリーンの目幅と細目バースクリーンの目幅の中間の目幅に設定した中間目バースクリーンを構成する中間目用スクリーンバーを、粗目バースクリーンを構成する粗目用スクリーンバーの間に配設するとともに、中間目用スクリーンバー間及び中間目用スクリーンバーと粗目用スクリーンバーの間に挿通される中間目用レーキを備えるようにすることにより、ごみの捕捉効率を高めることができるとともに、捕捉したごみの選別を細分化することができる。
【図面の簡単な説明】
【００３３】
【図１】バースクリーン式除塵機のバースクリーンの一実施例を示す横断面図である。
【図２】本発明のバースクリーン式除塵機のバースクリーンの一実施例を示す横断面図である。
【図３】本発明のバースクリーン式除塵機のバースクリーンの一実施例を示す横断面図である。
【図４】本発明のバースクリーン式除塵機のレーキの一実施例を示す斜視図である。
【図５】本発明のバースクリーン式除塵機のレーキの一実施例を示す斜視図で、（ａ）は粗目用レーキ、（ｂ）は細目用レーキである。
【図６】本発明のバースクリーン式除塵機の細目用レーキの一実施例を示す斜視図である。
【図７】本発明のバースクリーン式除塵機のバースクリーン及びレーキの一実施例を示す横断面図である。
【図８】バースクリーン式除塵機の一実施例を示す全体図である。
【図９】本発明のバースクリーン式除塵機のバースクリーン及びレーキの一実施例を示す横断面図である。
【図１０】バースクリーン式除塵機を、河川又は合流管渠の主幹線の水流と平行となるように設置した状態を示す説明図である。
【図１１】従来のバースクリーン式除塵機のスクリーンを示す斜視図である。
【発明を実施するための形態】
【００３４】
以下、本発明のバースクリーン式除塵機の実施の形態を、図面に基づいて説明する。
【００３５】
図１及び図８に、本発明のバースクリーン式除塵機の一実施例を示す（ここで、粗目バースクリーン１を構成する粗目用スクリーンバー１１や細目バースクリーン２を構成する細目用スクリーンバー２１の板厚を、前端面側が厚く、後端面側が薄くなるように形成することについては、図２に記載したとおりである。以下、同じ。）
このバースクリーン式除塵機は、粗目用スクリーンバー１１を間隔をあけて配設して構成した広い目幅Ｍ１の粗目バースクリーン１及びこの粗目バースクリーン１を構成する粗目用スクリーンバー１１の間に細目用スクリーンバー２１を配設して構成した狭い目幅Ｍ２の細目バースクリーン２（本実施例においては、粗目バースクリーン１を構成する粗目用スクリーンバー１１の間に３枚ずつの細目バースクリーン２を構成する細目用スクリーンバー２１を配設するようにしている。）からなるバースクリーンＳと、このバースクリーンＳにて捕捉されたごみを掻き揚げ排出するようにした粗目用レーキ３１及び細目用レーキ３２からなるレーキ３とを備えるようにしている。
【００３６】
この場合、粗目バースクリーン１を構成する粗目用スクリーンバー１１の前端面が、細目バースクリーン２を構成する細目用スクリーンバー２１の前端面より、前方（水流の上流側）に位置するようにし、粗目バースクリーン１を構成する粗目用スクリーンバー１１の前端面で粗ごみＳ１を、細目バースクリーン２を構成する細目用スクリーンバー２１の前端面で細塵Ｓ２を、それぞれ捕捉するようにする。
【００３７】
そして、このバースクリーン式除塵機においては、粗目バースクリーン１を構成する粗目用スクリーンバー１１の板厚Ｔ１と細目バースクリーン２を構成する細目用スクリーンバー２１の板厚Ｔ２を同一に設定するようにしている。
これにより、粗目用スクリーンバーと細目用スクリーンバーの資材の共通化を図ることが可能となり、資材コストを抑えて製造コストを低廉にすることができるものとなる。
【００３８】
また、バースクリーンＳは、粗目バースクリーン１を構成する粗目用スクリーンバー１１及び細目バースクリーン２を構成する細目用スクリーンバー２１の後端部に形成した透孔に通しボルト１０ａを挿通するとともに、その際、隣接する粗目用スクリーンバー１１と細目用スクリーンバー２１の間隔及び細目用スクリーンバー２１同士の間隔を通しボルト１０ａに挿通した短管状のディスタンスピース１０ｂによって規定することによって、粗目バースクリーン１及び細目バースクリーン２を一体的に固定するようにしている。
【００３９】
その際、粗目バースクリーン１を構成する粗目用スクリーンバー１１と細目バースクリーン２を構成する細目用スクリーンバー２１の後端面が同一面内に位置するようにしている。
これにより、粗目用スクリーンバー１１及び細目用スクリーンバー２１のそれぞれの後端面をバースクリーンＳを組み立てる際の基準面とすることができ、バースクリーンＳの組立を、容易かつ正確に行うことができる。
なお、粗目バースクリーン１を構成する粗目用スクリーンバー１１と細目バースクリーン２を構成する細目用スクリーンバー２１の後端面は、必ずしも同一面内に位置するようにする必要はなく、例えば、後述の図９に示すように、大きな負荷がかかりやすい粗目バースクリーン１を構成する粗目用スクリーンバー１１の幅（水流方向の寸法）を大きく形成し、これに合わせて、粗目用スクリーンバー１１の後端面が後方（水流の下流側）に突出するように形成することもできる。
【００４０】
ところで、粗目バースクリーン１を構成する粗目用スクリーンバー１１や細目バースクリーン２を構成する細目用スクリーンバー２１の断面形状は、矩形に形成することもできるが、図２に示す実施例のように、種々の断面形状、例えば、先端面や後端面に面取りを施したり、先端部に拡幅部を形成したり、先端側が拡幅した楔状に形成したり、先端側（及び後端側）が拡幅するように側面を湾曲した形状に形成することができる。
特に、粗目バースクリーン１を構成する粗目用スクリーンバー１１や細目バースクリーン２を構成する細目用スクリーンバー２１の断面形状（板厚）を、前端面側が厚く、後端面側が薄くなるように形成することが好ましく、これにより、粗目用スクリーンバー１１及び／又は細目用スクリーンバー２１の対向する面間にごみが挟まることがなく、粗目バースクリーン１及び細目バースクリーンが目詰まりを起こすことを未然に防止できる。
【００４１】
また、粗目バースクリーン１を構成する粗目用スクリーンバー１１や細目バースクリーン２を構成する細目用スクリーンバー２１の配列は、規則的に繰り返すこともできるが、図３に示す実施例のように、粗目バースクリーン１を構成する粗目用スクリーンバー１１及び／又は細目バースクリーン２を構成する細目用スクリーンバー２１の配列を水路の幅方向の位置で変えることもできる。
これにより、粗目バースクリーン１の目幅Ｍ１を、Ｍ１ａ〜Ｍ１ｃのように水路の幅方向で実質的に変えることができ、バースクリーン式除塵機の使用形態や設置場所によって粗ごみと細塵の流入状況が異なる場合でも適切に対応することができ、ごみの捕捉効率を高めることができるとともに、捕捉したごみの選別を細分化することができる。
【００４２】
また、粗目用レーキ３１（及び／又は細目用レーキ３２）は、図４（及び図６）に示すように、粗目用レーキ３１（及び／又は細目用レーキ３２）を水平方向に配設する板部材で分割して構成し、レーキ３のフレーム３０に、ボルト等の固定手段３０ａを用いて、一枚板状に取り付けるようにすることができる。
これにより、粗目用レーキ３１（及び／又は細目用レーキ３２）の資材の共通化を図ることが可能となり、資材コストを抑えて製造コストを低廉にすることができるものとなる。
この場合、レーキ３の粗目用レーキ３１をごみの掻き揚げ時に粗目バースクリーン１の粗目用スクリーンバー１１間に挿通される爪３１ａを端縁に形成し、粗目バースクリーン１のごみの捕捉面に対して直交した状態で駆動されるようにした板部材で、細目用レーキ３２をごみの掻き揚げ時に粗目用レーキ３１の駆動方向の後方側の位置で細目バースクリーン２の細目用スクリーンバー２１間に挿通されて駆動されるようにした複数の板部材で、かつ、レーキフレーム３０の長手方向にそれぞれ分割して構成し、分割して構成した粗目用レーキ３１の隣接する粗目用レーキ分割片３１Ａ、３１Ｂ、３１Ｃ間に隙間Ｄが存在するようにして、粗目用レーキ分割片３１Ａ、３１Ｂ、３１Ｃをレーキフレーム３０に固定手段３０ａを用いて取り付け、ごみの掻き揚げ時に隣接する粗目用レーキ分割片３１Ａ、３１Ｂ、３１Ｃに形成された隣接する爪３１ａの間に粗目バースクリーン１の粗目用スクリーンバー１１が位置することができるようにしている。
【００４３】
また、細目用レーキ３２は、図４に示すように、鉛直方向に配設する板部材で構成することができる。
これにより、細目用レーキ３２の耐負荷性を向上することができ、レーキ３の耐久性を向上することができる。
【００４４】
また、粗目用レーキ３１と細目用レーキ３２は、図５（ａ）、（ｂ）及び図６に示すように、別体で構成することができる。
これにより、個々のレーキ３にかかる負荷を小さくすることができ、レーキ３の耐久性を向上することができる。
なお、レーキ３は、バースクリーン式除塵機の使用形態や設置場所によって異なるごみの大きさや性状に合わせて、その種類や数を選定することができ、これにより、資材コストを抑えて製造コストを低廉にできる。
【００４５】
また、レーキ３を複数のレーキ３で構成し、各レーキ３毎に、レーキ３を構成する粗目用レーキ３１と細目用レーキ３２を、図７に示すように、粗目用レーキ３１の爪３１ａを粗目バースクリーン１を構成する粗目用スクリーンバー１１の配列と異なる配列で設けるようにしたり、細目用レーキ３２の爪を細目バースクリーン２を構成する細目用スクリーンバー２１の配列と異なる配列で設けることができる。
この場合、複数のレーキ３が少なくとも一巡することによって、粗目バースクリーン１を構成する粗目用スクリーンバー１１及び細目バースクリーン２を構成する細目用スクリーンバー２１によって形成されるすべての目幅Ｍ１、Ｍ２間に粗目用レーキ３１及び細目用レーキ３２の爪が少なくとも１回は挿通され、バースクリーンＳに捕捉されたごみがバースクリーンＳに取り残されることなく掻き揚げ排出されるようにする。
これにより、個々のレーキ３にかかる負荷を小さくすることができ、レーキ３の耐久性を向上することができる。
【００４６】
そして、このバースクリーン式除塵機は、図８に示すように、地上部で粗目バースクリーン１を細目バースクリーン２より所要長く延設し、細目バースクリーン２の終端部から、延設した粗目バースクリーン１の途中までエプロン４を設けるとともに、このエプロン４の終端部の下に細塵Ｓ２を回収する細塵回収部６２を設け、粗目バースクリーン１の終端部の下に粗ごみＳ１を回収する粗ごみ回収部６１を設けている。
【００４７】
レーキ３は、上下の本体スプロケット７１に架設されたチェーン７２からなるレーキ駆動機構７により駆動するようにし、バースクリーンＳの周囲を周回するとともに、バースクリーンＳの前側でごみを掻き揚げるようにする。
なお、レーキ３には、その背部に、水路の底部に立設された前スクリーン８の目幅に噛合する前スクリーン用レーキ３３が設けられている。
【００４８】
この場合において、粗目バースクリーン１を構成する粗目用スクリーンバー１１は、帯状平鋼製、あるいは、合成樹脂製や複合材料製の板部材からなり、特に限定されるものではないが、例えば、１０ｃｍ程度の間隔（この間隔と粗目用スクリーンバー１１の板厚Ｔ１とにより粗目バースクリーン１の目幅Ｍ１が規定される。）で配設するようにする。
粗目バースクリーン１の間に配設される細目バースクリーン２を構成する細目用スクリーンバー２１は、粗目バースクリーン１と同様の帯状平鋼製、あるいは、合成樹脂製や複合材料製の板部材からなり、特に限定されるものではないが、例えば、２．５ｃｍ程度の間隔（この間隔と細目用スクリーンバー２１の板厚Ｔ２とにより細目バースクリーン２の目幅Ｍ２が規定される。）で配設するようにする。
ここで、粗目バースクリーン１及び細目バースクリーン２のそれぞれの目幅Ｍ１、Ｍ２は、バースクリーン式除塵機の使用目的等に応じて適宜設定することができるが、通常、粗目バースクリーン１の目幅Ｍ１は、５０〜１００ｍｍ程度に、また、細目バースクリーン２の目幅Ｍ２は、１０〜２５ｍｍ程度に、それぞれ設定するようにする。
【００４９】
なお、大きな負荷がかかりにくい細目バースクリーン２を構成する細目用スクリーンバー２１の板厚Ｔ２を、大きな負荷がかかりやすい粗目バースクリーン１を構成する粗目用スクリーンバー１１の板厚Ｔ１より薄く形成することもでき、これにより、資材コストを抑えて製造コストを低廉にすることができる。
【００５０】
また、大きな負荷がかかりにくい細目バースクリーン２を構成する細目用スクリーンバー２１の幅Ｗ２を、大きな負荷がかかりやすい粗目バースクリーン１を構成する粗目用スクリーンバー１１の幅Ｗ１より小さく形成することができ、これにより、資材コストを抑えて製造コストを低廉にすることができる。
【００５１】
次に、このバースクリーン式除塵機の動作について説明する。
粗目バースクリーン１と細目バースクリーン２から構成されたスクリーンは、水路の底部に立設された前スクリーン８とともに水路内に設置されている。
【００５２】
そして、粗目バースクリーン１を構成する粗目用スクリーンバー１１の前端面が、細目バースクリーン２を構成する細目用スクリーンバー２１の前端面より、前方（水流の上流側）に位置するようにし、粗目バースクリーン１を構成する粗目用スクリーンバー１１の前端面で粗ごみＳ１を、細目バースクリーン２を構成する細目用スクリーンバー２１の前端面で細塵Ｓ２を、それぞれ捕捉するようにする。
【００５３】
一方、水路から上の地上部では、粗目バースクリーン１だけを所要長く延設し、細目バースクリーン２の終端部からは、延設した粗目バースクリーン１の中間付近までエプロン４を敷設し、細塵Ｓ２の落下を防止するようにしているので、細目バースクリーン２の目幅Ｍ２で捕捉された細塵Ｓ２は、レーキ３によりエプロン４に沿って掻き揚げられる。
【００５４】
エプロン４の終端部の下には、細塵Ｓ２を回収する細塵回収部６２が設けられるとともに、粗目バースクリーン１の終端部の下には、粗ごみＳ１を回収する粗ごみ回収部６１が設けられている。
【００５５】
細塵回収部６２には、粗目バースクリーン１の上から散水する脱荷用散水ノズル９が付設されており、レーキ３からの細塵Ｓ２の落下を促すようにしている。
そして、細塵回収部６２において、レーキ３により掻き揚げられ、途中でエプロン４がなくなってレーキ３から落下した細塵Ｓ２は、本実施例では、流水トラフにより回収され搬送される。
【００５６】
また、粗目バースクリーン１の終端部の粗ごみ回収部６１において、落下した粗ごみＳ１は、その下に設けたベルトコンベアにより回収され搬送される。
【００５７】
このように、本実施例のバースクリーン式除塵機は、粗目バースクリーン１及び細目バースクリーン２のそれぞれの目幅Ｍ１、Ｍ２で捕捉したごみを分けて、排出することができる。
【００５８】
ところで、上記実施例においては、バースクリーンＳを、粗目バースクリーン１と細目バースクリーン２とで構成したが、図９に示すように、粗目バースクリーン１の目幅Ｍ１と細目バースクリーン２の目幅Ｍ２の中間の目幅に設定した中間目バースクリーン５を、粗目バースクリーン１の間に配設するとともに、中間目用レーキ３５を備えるように構成するもできる。
この場合、中間目バースクリーン５及び中間目用レーキ３５は、１段階だけでなく、２段階以上に構成することもできる。
この場合、前方（水流の上流側）から、粗目バースクリーン１を構成する粗目用スクリーンバー１１の前端面、中間目バースクリーン５を構成する中間目用スクリーンバー５１の前端面、細目バースクリーン２を構成する細目用スクリーンバー２１の前端面が順に位置するようにする。
また、粗目バースクリーン１を構成する粗目用スクリーンバー１１、中間目バースクリーン５を構成する中間目用スクリーンバー５１、細目バースクリーン２を構成する細目用スクリーンバー２１の板厚Ｔ１、Ｔ５、Ｔ２は、すべて同一に設定するようにすることもできるが、本実施例に示すように、粗目バースクリーン１を構成する粗目用スクリーンバー１１の板厚Ｔ１、中間目バースクリーン５を構成する中間目用スクリーンバー５１の板厚Ｔ５、細目バースクリーン２を構成する細目用スクリーンバー２１の板厚Ｔ２の順に薄く形成するようにしたり、粗目バースクリーン１を構成する粗目用スクリーンバー１１の板厚Ｔ１のみ厚く形成するようにしたり、細目バースクリーン２を構成する細目用スクリーンバー２１の板厚Ｔ２のみ薄く形成するようにすることもでき、これにより、必要に応じて、強度を高めながら、資材コストを抑えて製造コストを低廉にすることができる。
また、本実施例においては、大きな負荷がかかりやすい粗目バースクリーン１を構成する粗目用スクリーンバー１１及び中間目バースクリーン５を構成する中間目用スクリーンバー５１の幅（水流方向の寸法）を、この順に、細目バースクリーン２を構成する細目用スクリーンバー２１の幅より大きく形成し、これに合わせて、粗目用スクリーンバー１１及び中間目用スクリーンバー５１の後端面が、この順に、後方（水流の下流側）に突出するように形成するようにしたが、粗目バースクリーン１を構成する粗目用スクリーンバー１１、中間目バースクリーン５を構成する中間目用スクリーンバー５１及び細目バースクリーン２を構成する細目用スクリーンバー２１の後端面を同一面内に位置するようにすることもできる。
なお、中間目バースクリーン５及び中間目用レーキ３５の構成は、上記粗目バースクリーン１及び細目バースクリーン２並び粗目用レーキ３１及び細目用レーキ３２に適用した構成を、適宜選択して適用することができる。
これにより、ごみの捕捉効率を高めることができるとともに、捕捉したごみの選別を細分化することができる。
【００５９】
以上、本発明のバースクリーン式除塵機について、背面降下連続式のバースクリーン式除塵機の実施例に基づいて説明したが、本発明は上記実施例に記載した構成に限定されるものではなく、例えば、前面降下連続式のバースクリーン式除塵機や間欠式のバースクリーン式除塵機等の各種のバースクリーン式除塵機、手かき式等の手動のレーキを用いるようにしたバースクリーン式除塵機、さらには、図１０（参考例）に示すように、バースクリーンＳを構成する粗目用スクリーンバー１１及び細目用スクリーンバー２１が略水平になるようにバースクリーンＳを設置することにより、バースクリーン式除塵機を、河川又は合流管渠の主幹線の水流と平行となるように設置する除塵機に適用したり、下水処理や水路以外における塵埃等の除去、例えば、工場排水に含まれる塵埃等の除去のために用いられる除塵機にも適用できるものであり、また、その趣旨を逸脱しない範囲において適宜その構成を変更することができるものである。
【産業上の利用可能性】
【００６０】
本発明のバースクリーン式除塵機は、必要とされる強度等の性能を維持しながら、資材コストを抑えて製造コストを低廉にできる等の特性を有していることから、各種のバースクリーン式除塵機の用途に広く用いることができ、また、適用対象も、新設のバースクリーン式除塵機のほか、既設の除塵機に対しても、除塵機の構成部材を交換することによって、簡易に適用することができる。
【符号の説明】
【００６１】
Ｓ    バースクリーン
１    粗目バースクリーン
１１  粗目用スクリーンバー
Ｍ１  粗目用スクリーンバーの目幅
Ｔ１  粗目用スクリーンバーの板厚
２    細目バースクリーン
２１  細目用スクリーンバー
Ｍ２  細目用スクリーンバーの目幅
Ｔ２  細目用スクリーンバーの板厚
３    レーキ
３１  粗目用レーキ
３１Ａ  粗目用レーキ分割片
３１Ｂ  粗目用レーキ分割片
３１Ｃ  粗目用レーキ分割片
３１ａ  爪
３２  細目用レーキ
３３  前スクリーン用レーキ
３５  中間目用レーキ
４    エプロン
５    中間目バースクリーン
５１  中間目用スクリーンバー
Ｍ５  中間目用スクリーンバーの目幅
Ｔ５  中間目用スクリーンバーの板厚
６１  粗ごみ回収部
６２  細塵回収部
７    レーキ駆動機構
７１  本体スプロケット
７２  チェーン
８    前スクリーン
９    脱荷用散水ノズル
１０ａ  通しボルト
１０ｂ  ディスタンスピース
Ｄ    隙間
Ｓ１  粗ごみ
Ｓ２  細塵
【図１】
0005587451.tif 000002
【図２】
0005587451.tif 000003
【図３】
0005587451.tif 000004
【図４】
0005587451.tif 000005
【図５】
0005587451.tif 000006
【図６】
0005587451.tif 000007
【図７】
0005587451.tif 000008
【図８】
0005587451.tif 000009
【図９】
0005587451.tif 000010
【図１０】
0005587451.tif 000011
【図１１】
0005587451.tif 000012